(57)【要約】      （修正有）【課題】利用者がカラオケを楽しみながら、容易かつ効率的に所望の通信販売アイテムを購入できるカラオケシステムの提供。【解決手段】利用者の指示により、当該利用者が指定した通信販売アイテムの紹介情報を抽出し、これをカラオケ楽曲の演奏間に表示し、利用者が購入を希望する通信販売アイテムを指定した場合、当該利用者のＩＤ情報を付加して、発注対象となる通信販売アイテムを所定の購入指定アイテム登録部に登録するシステム、あるいは、その表示毎に、紹介された通信販売アイテムを所定の紹介アイテム記録部に記録し、その記録された通信販売アイテムを、利用者の指示により一覧表示させると共に、この一覧表示の中から利用者が購入を希望する通信販売アイテムを指定した場合、当該利用者のＩＤ情報を付加して、発注対象となる通信販売アイテムを所定の購入指定アイテム登録部に登録するシステムを構築した。【選択図】図１
2005316153.tif 000002
【特許請求の範囲】
【請求項１】
カラオケ演奏装置を主体としてなり、任意のカラオケ利用者が所定の通信販売アイテムを購入するためのカラオケシステムであって、
（ア）所定の通信販売アイテムＩＤに紐付けされた通信販売アイテムの紹介情報を各種記録している紹介情報記録部と、
（イ）任意の利用者の指示により、当該利用者が指定した通信販売アイテムの紹介情報を抽出し、これを所定のカラオケ楽曲の演奏間に表示するための紹介情報表示手段と、
（ウ）前記紹介情報の表示に基づき、前記利用者が購入を希望する通信販売アイテムを指定した場合、当該利用者のＩＤ情報を付加して、発注対象となる当該通信販売アイテムを所定の購入指定アイテム登録部に登録するための購入指定アイテム登録手段と、
を備えてなる通信販売アイテム購入機能付きカラオケシステム。
【請求項２】
カラオケ演奏装置を主体としてなり、任意のカラオケ利用者が所定の通信販売アイテムを購入するためのカラオケシステムであって、
（エ）所定の通信販売アイテムＩＤに紐付けされた通信販売アイテムの紹介情報を各種記録している紹介情報記録部と、
（オ）任意の利用者の指示により、当該利用者が指定した通信販売アイテムの紹介情報を抽出し、これを所定のカラオケ楽曲の演奏間に表示するための紹介情報表示手段と、
（カ）前記紹介情報が表示された際、当該情報にて紹介された通信販売アイテムにつき、その表示毎に、所定の紹介アイテム記録部に記録するための紹介アイテム記録手段と、
（キ）前記紹介アイテム記録部に記録された通信販売アイテムを、任意の利用者の指示により、一覧表示するための紹介アイテム一覧表示手段と、
（ク）前記一覧表示の中から、前記利用者が購入を希望する通信販売アイテムを指定した場合、当該利用者のＩＤ情報を付加して、発注対象となる当該通信販売アイテムを所定の購入指定アイテム登録部に登録するための購入指定アイテム登録手段と、
を備えてなる通信販売アイテム購入機能付きカラオケシステム。
【請求項３】
前記カラオケ演奏装置に加え、複数の当該カラオケ演奏装置とネットワーク接続されたカラオケホスト装置を主体としてなり、
（ケ）前記購入指定アイテム登録部が当該カラオケホスト装置内に設けられてなる請求項１ないし請求項２記載の通信販売アイテム購入機能付きカラオケシステム。
【発明の詳細な説明】
【技術分野】
【０００１】
本発明は、カラオケ演奏装置、ないし複数のカラオケ演奏装置およびこれとネットワーク接続されたカラオケホスト装置を主体としてなり、利用者がカラオケを楽しみながら所望の通信販売アイテムを購入できるようにしたカラオケシステムに関する。
【背景技術】
【０００２】
現在のカラオケシステムでは、利用者がカラオケ楽曲を予約登録する前の時間や、予約登録されたカラオケ楽曲の演奏間に、通称「曲間ＣＭ」と呼ばれる広告画像や広告映像が表示される。この広告には様々な種類があり、例えば、新譜や新人アーティストの紹介、地域性や時事性のあるサービスや商品の紹介、あるいは音楽ＣＤやＤＶＤの紹介などがある。これらはカラオケを楽しみながら情報を得ることができるため、カラオケ利用者の情報源として非常に役立っている。
【０００３】
そこで、従来では、この「曲間ＣＭ」についての技術が種々想到されてきた。例えば、特許文献１では、カラオケ演奏曲と関連する広告情報が記憶され、その広告情報を適宜読み出して表示し、ＣＭ使用曲等が演奏された場合、そのＣＭの商品名や会社名等を効果的にアピールする技術が開示されている。また、特許文献２では、演奏曲と広告映像がイメージデータにより結び付けられ、演奏曲が必ずしもＣＭ使用曲でない場合でも、そのイメージデータにより結び付けられた広告映像を表示し、これにより広告映像の表示頻度を増加させる技術が開示されている。さらに、特許文献３では、カラオケ演奏端末のタイプ毎に異なる紹介情報をダウンロードさせることにより、また、ダウンロードした紹介情報を演奏端末の状況に合わせて再編集することにより、効率的に最適なＩＣＭを再生することのできる技術が開示されている。
【特許文献１】特開平８−１９４４５３号公報
【特許文献２】特開平８−２３４７８１号公報
【特許文献３】特開平９−２６５２９４号公報
【０００４】
このような「曲間ＣＭ」に表示される情報として、「通信販売アイテム」すなわち「映像や画像（写真）などによって紹介され、購入注文により送付されてくる商品」についての紹介情報を採用することは、新たなビジネスチャンスの創造と通信販売の深耕に繋がる。しかしながら、単に通信販売アイテムの紹介情報を「曲間ＣＭ」で表示するだけで、購入処理を別行程にすると効率が悪く、効率の良い購入処理の仕組みを確立する必要がある。さらに、利用者にとって、カラオケ楽曲の演奏間という極めて短い時間で購入を判断させるにはかなり無理があり、後で再確認させるのが好ましい。しかし、後で判断するとしても、自らが見た「曲間ＣＭ」の広告画像や広告映像にて紹介された通信販売アイテムに如何なるものがあったかを正確に思い出すのも、カラオケ利用時では混沌として大変なことであり、折角「曲間ＣＭ」で紹介しても、これが十分に活かされないことになる。
【発明の開示】
【発明が解決しようとする課題】
【０００５】
そこで、本発明は、カラオケ楽曲の演奏間の「曲間ＣＭ」に通信販売アイテムについての紹介情報を採用することに着目し、効率良く通信販売アイテムの購入処理を行うことができ、さらには、利用者に見せた通信販売アイテムの紹介情報を特定し、当該紹介情報で紹介した通信販売アイテムについて、利用者が後で容易に確認できるようにして、利用者に対する紹介情報を十分活かせるようにすると共に、利用者がカラオケを楽しみながら、容易かつ効率的に所望の通信販売アイテムを購入できるカラオケシステムの提供を課題とする。
【課題を解決するための手段】
【０００６】
上記課題を鑑み、本発明者らは、利用者の指示により、当該利用者が指定した通信販売アイテムの紹介情報を抽出し、これをカラオケ楽曲の演奏間に表示し、利用者が購入を希望する通信販売アイテムを指定した場合、当該利用者のＩＤ情報を付加して、発注対象となる通信販売アイテムを所定の購入指定アイテム登録部に登録するシステム、あるいは、その表示毎に、紹介された通信販売アイテムを所定の紹介アイテム記録部に記録し、その記録された通信販売アイテムを、利用者の指示により一覧表示させると共に、この一覧表示の中から利用者が購入を希望する通信販売アイテムを指定した場合、当該利用者のＩＤ情報を付加して、発注対象となる通信販売アイテムを所定の購入指定アイテム登録部に登録するシステムを構築することで、上記課題を解決できることを見出し、本発明の通信販売アイテム購入機能付きカラオケシステムを想到した。
【０００７】
すなわち、本発明の請求項１記載の通信販売アイテム購入機能付きカラオケシステムは  カラオケ演奏装置を主体としてなり、任意のカラオケ利用者が所定の通信販売アイテムを購入するためのカラオケシステムであって、
（ア）所定の通信販売アイテムＩＤに紐付けされた通信販売アイテムの紹介情報を各種記録している紹介情報記録部と、
（イ）任意の利用者の指示により、当該利用者が指定した通信販売アイテムの紹介情報を抽出し、これを所定のカラオケ楽曲の演奏間に表示するための紹介情報表示手段と、
（ウ）前記紹介情報の表示に基づき、前記利用者が購入を希望する通信販売アイテムを指定した場合、当該利用者のＩＤ情報を付加して、発注対象となる当該通信販売アイテムを所定の購入指定アイテム登録部に登録するための購入指定アイテム登録手段と、
を備えてなることを特徴とする。
【０００８】
さらに、本発明の請求項２記載の通信販売アイテム購入機能付きカラオケシステムは、カラオケ演奏装置を主体としてなり、任意のカラオケ利用者が所定の通信販売アイテムを購入するためのカラオケシステムであって、
（エ）所定の通信販売アイテムＩＤに紐付けされた通信販売アイテムの紹介情報を各種記録している紹介情報記録部と、
（オ）任意の利用者の指示により、当該利用者が指定した通信販売アイテムの紹介情報を抽出し、これを所定のカラオケ楽曲の演奏間に表示するための紹介情報表示手段と、
（カ）前記紹介情報が表示された際、当該情報にて紹介された通信販売アイテムにつき、その表示毎に、所定の紹介アイテム記録部に記録するための紹介アイテム記録手段と、
（キ）前記紹介アイテム記録部に記録された通信販売アイテムを、任意の利用者の指示により、一覧表示するための紹介アイテム一覧表示手段と、
（ク）前記一覧表示の中から、前記利用者が購入を希望する通信販売アイテムを指定した場合、当該利用者のＩＤ情報を付加して、発注対象となる当該通信販売アイテムを所定の購入指定アイテム登録部に登録するための購入指定アイテム登録手段と、
を備えてなることを特徴とする。
【０００９】
また、本発明の請求項３記載の通信販売アイテム購入機能付きカラオケシステムは、請求項１ないし請求項２記載のカラオケシステムにおいて、前記カラオケ演奏装置に加え、複数の当該カラオケ演奏装置とネットワーク接続されたカラオケホスト装置を主体としてなり、（カ）前記購入指定アイテム登録部が当該カラオケホスト装置内に設けられてなることを特徴とする。
【発明の効果】
【００１０】
本発明の請求項１記載の通信販売アイテム購入機能付きカラオケシステムによれば、利用者の指示により、当該利用者が指定した通信販売アイテムの紹介情報をカラオケ楽曲の演奏間に表示し、利用者が購入を希望する通信販売アイテムを指定した場合、当該利用者のＩＤ情報を付加して所定の購入指定アイテム登録部に登録するため、紹介情報で紹介した通信販売アイテムについて、速やかに効率良く通信販売アイテムの購入処理を行うことができ、利用者はカラオケを楽しみながら、容易かつ効率的に所望の通信販売アイテムを購入できるなどといった効果を奏する。
【００１１】
本発明の請求項２記載の通信販売アイテム購入機能付きカラオケシステムによれば、利用者の指示により、当該利用者が指定した通信販売アイテムの紹介情報をカラオケ楽曲の演奏間に表示し、その表示毎に、所定の紹介アイテム記録部に記録するため、利用者に見せた紹介情報を特定でき、さらに、記録された通信販売アイテムを、利用者の指示により一覧表示し、利用者がこの一覧表示の中から購入を希望する通信販売アイテムを指定した場合、当該利用者のＩＤ情報を付加して所定の購入指定アイテム登録部に登録するため、紹介情報で紹介した通信販売アイテムについて、利用者が後で容易に確認でき、利用者に対する紹介情報を十分活かせると共に、利用者はカラオケを楽しみながら、容易かつ効率的に所望の通信販売アイテムを購入できるなどといった効果を奏する。
【００１２】
また、本発明の請求項３記載の通信販売アイテム購入機能付きカラオケシステムによれば、請求項１ないし請求項２記載のカラオケシステムにおいて、購入指定アイテム登録部がカラオケホスト装置内に設けられているため、ネットワーク接続された何れのカラオケ演奏装置にて紹介された通信販売アイテムでもカラオケホスト装置にて一元管理され、利用者はネットワーク接続された如何なるカラオケ演奏装置からでも、自らが購入した通信販売アイテムの情報を見ることができるといった効果を奏する。
【発明を実施するための最良の形態】
【００１３】
以下、本発明の通信販売アイテム購入機能付きカラオケシステムについて最適な実施例を挙げるが、先ず、図１に示す、本発明の一実施例におけるカラオケシステムのブロック構成図に基づき、請求項１記載の（ア）から（ウ）の構成について詳述する。
【実施例１】
【００１４】
本実施例のカラオケシステム（１）はカラオケ演奏装置（Ｐ）を主体としてなり、このカラオケ演奏装置（Ｐ）は、リモコン装置（２）、ディスプレイ装置（４）、マイクロフォン装置（５）、スピーカ（９）などを付帯し、音源（６）、ミキサ（７）、音量検出部（１４）、ＭＰＥＧデコーダ（１５）、合成回路（１６）などが接続され、装置全体のシステム処理を統括的に制御する中央制御手段（１０）と、カラオケシステム運用のための各種データやカラオケ利用に伴って発生する各種データ、さらに、通信制御手段（２１）を介してネットワーク接続されたカラオケホスト装置（図７参照）から電送されてきた各種データや、カラオケホスト装置へ電送するための各種データなどを記録するためのＲＡＭ（１２）やハードディスク（１１）といった記憶手段から主に構成されている。
【００１５】
ここで、各構成要素について詳述する。先ず、リモコン装置（２）が付帯した利用者インタフェイスから、利用者が指定した楽曲ＩＤを中央制御手段（１０）側の操作信号インタフェイス（２４）を介して受け付ける。受け付けられた楽曲ＩＤは、カラオケ楽曲予約登録手段（２３）により、利用者ＩＤと対応付けして演奏予約の待ち行列に登録される。予約登録された楽曲ＩＤに対応するカラオケ楽曲は順次演奏されるが、演奏は以下のような仕組みで行われる。音源（６）は中央制御手段（１０）が実行するシーケンサ（２２）の処理によって入力された楽曲ＩＤに対応した演奏データに応じて楽音信号を形成し、形成された楽音信号はミキサ（７）に入力され、このミキサ（７）は音源（６）が発生した楽音信号とＡ／Ｄコンバータ（１３）を介して入力されたマイクロフォン装置（５）からの利用者の歌唱音声信号を適当なバランスでミキシングし、ミキシングされたデジタル音声信号は、サウンドシステム（８）に入力される。このサウンドシステム（８）はＤ／Ａコンバータおよびパワーアンプを備えており、入力されたデジタル信号をアナログ信号に変換して増幅し、スピーカ（９）からカラオケ伴奏音楽と歌唱音声を放音する。
【００１６】
また、このカラオケ装置（Ｐ）には、歌唱によるカロリー消費量を知らせる手段として音量検出部（１４）が備えられている。この音量検出部（１４）は、歌唱入力信号のサンプリングが可能な各種処理回路から構成されており、マイクロフォン装置（５）からの歌唱入力信号が入力されると、この歌唱入力信号を所定の時間間隔でサンプリング処理し、中央制御装置（１０）は当該サンプル値を逐次積算する演算処理を行う。
【００１７】
ハードディスク（１１）には、演奏データ（２７）の他、映像データ（２８）がＭＰＥＧ２形式にエンコードされている。この映像データ（２８）の記録部には、主に、各カラオケ楽曲の背景映像（２８ａ）と、カラオケ楽曲の演奏間に表示するための各種の通信販売アイテムの紹介情報（２８ｂ）が記録されている。この記録された紹介情報（２８ｂ）の映像データは演奏データ（２７）と同じように構成されている。すなわち、ＢＧＭトラックが演奏データの楽音トラックに、表示トラックが歌詞トラックに、アナウンス制御トラックが音声制御トラックに、ＤＳＰ制御トラックが効果制御トラックにそれぞれ対応している。音声データは紹介音声を断片に分割して記憶したもので、この断片の音声データを所定の順序で組み合わせることにより紹介音声が構成される。なお、各紹介情報（２８ｂ）の映像データのヘッダ部（図示省略）には、この紹介情報に対応した通信販売アイテムを識別するＩＤ番号が設定され、紹介情報表示手段（１７）は、所定の表示指定プログラムに基づき、このＩＤ番号を指定して紹介情報を抽出する。
【００１８】
これらの映像データ（２８）に対して、中央制御手段（１０）が再生処理を行うものであるが、具体的には、利用者の指示をトリガー信号として、この信号を受けた場合、中央制御手段（１０）に組み込まれた紹介情報表示手段（１７）は、利用者が指定した紹介情報（２８ｂ）を抽出し、これをＭＰＥＧデコーダ（１５）に入力する。ＭＰＥＧデコーダ（１５）はこのＭＰＥＧデータを復調し、ＮＴＳＣの映像信号に変換して合成回路（１６）に入力する。合成回路（１６）は紹介情報（２８ｂ）の映像信号上に、通信販売アイテムの規格、価格情報、メッセージあるいは商品番号などといったＯＳＤを合成し、図３のディスプレイ装置による通信販売アイテムの紹介情報表示画面に示すように、合成された映像信号をもって、カラオケ演奏装置（Ｐ）が付帯するディスプレイ装置（４）に紹介情報映像（Ｄ）が表示される。なお、背景映像（２８ａ）についても、同じような再生処理が行われ、その映像信号上に歌詞テロップや採点表示などのＯＳＤを合成し、合成された映像信号をディスプレイ装置（４）に表示されるものである。
【００１９】
リモコン装置（２）は利用者インタフェイスを備え、利用者の操作に応じた操作信号を中央制御手段（１０）に出力する。中央制御手段（１０）は、この操作信号を検出して対応する処理を行う。例えば、リモコン装置（２）にて楽曲ＩＤが入力されると、カラオケ楽曲のリクエストであるとして、この楽曲ＩＤをシーケンサ（２２）に伝達する。シーケンサ（２２）は、主に楽曲シーケンサ、歌詞シーケンサおよび文字パターン作成手段からなり、当該楽曲ＩＤで識別される演奏データ（２７）をハードディスク（１１）から読み出す。
【００２０】
利用者が指定した通信販売アイテムの紹介情報を表示するための指示についても、本実施例では、リモコン装置（２）を用いるもので、楽曲ＩＤと同じ構成で通信販売アイテムＩＤを構成している。具体的には、各通信販売アイテムそれぞれに、４桁数字（ハイフォン）２桁数字でそのＩＤを構成し、楽曲ＩＤと同様な入力操作により、紹介情報表示手段（１７）に対して指示を発する。なお、図２に示す、別の実施例にて後述する紹介アイテム一覧表示手段（１９）に対しても同様に、楽曲ＩＤと同じ構成の一覧表示指示用のＩＤを設け、楽曲ＩＤと同様な入力操作により一覧表示の指示を発する。このように構成することにより、利用者は容易かつ迅速に指示を出すことができる。そして、この表示に基づき、当該利用者が購入を希望する通信販売アイテムを指定した場合、購入指定アイテム登録手段（２０）は、ＲＡＭ（１２）に設定された購入指定アイテム登録部（２６）に、当該利用者のＩＤ情報（２６ａ）を付加して購入指定アイテム（２６ｂ）を登録する。
【００２１】
次に、図２に示す、本発明の別の実施例におけるカラオケシステムのブロック構成図に基づき、請求項２記載の（エ）から（ク）の構成について詳述する。
【実施例２】
【００２２】
本実施例のカラオケシステム（１）もカラオケ演奏装置（Ｐ）を主体としてなり、このカラオケ演奏装置（Ｐ）も、リモコン装置（２）、ディスプレイ装置（４）、マイクロフォン装置（５）、スピーカ（９）などを付帯し、音源（６）、ミキサ（７）、音量検出部（１４）、ＭＰＥＧデコーダ（１５）、合成回路（１６）などが接続され、装置全体のシステム処理を統括的に制御する中央制御手段（１０）と、カラオケシステム運用のための各種データやカラオケ利用に伴って発生する各種データ、さらに、通信制御手段（２１）を介してネットワーク接続されたカラオケホスト装置（図７参照）から電送されてきた各種データや、カラオケホスト装置へ電送するための各種データなどを記録するためのＲＡＭ（１２）やハードディスク（１１）といった記憶手段から主に構成されており、これら各構成要素については実施例１のものと同じである。
【００２３】
本実施例では、ＲＡＭ（１２）には紹介アイテム記録部（２５）が設定され、この紹介アイテム記録部（２５）には、中央制御手段（１０）に組み込まれた紹介アイテム記録手段（１８）により、所定の紹介情報が表示された際、当該情報にて紹介された通信販売アイテムにつき、その表示毎に、その紹介情報にて紹介された通信販売アイテムが記録される。さらに、紹介アイテム一覧表示手段（１９）は、任意の利用者から、記録された通信販売アイテムを一覧表示する旨の指示を受けると、紹介アイテム記録部（２５）に記録された紹介アイテムを一覧形式にてディスプレイ装置（４）に表示する。そして、この一覧表示の中から、当該利用者が購入を希望する通信販売アイテムを指定した場合、購入指定アイテム登録手段（２０）は、ＲＡＭ（１２）に設定された購入指定アイテム登録部（２６）に、当該利用者のＩＤ情報（２６ａ）を付加して購入指定アイテム（２６ｂ）を登録する。
【００２４】
ここで、図４に示す、本発明のカラオケシステムにおけるカラオケ演奏装置が付帯するリモコン装置の外観図と、図５および図６に示す、当該リモコン装置のＬＣＤによる紹介アイテムの一覧表示画面に基づき、請求項２記載の（キ）と（ク）の構成について、さらに詳述する。
【００２５】
先ず、図４に示すように、本実施例におけるカラオケリモコン装置（２）の本体サイズは両手を軽く開いた状態で持てる程度のもので、その形状は湾曲部を備えた略矩状のものである。そして、表示手段としては液晶ディスプレイ（以下、ＬＣＤと称す：３）が設けられ、このＬＣＤ（３）にはタッチセンサ方式の操作パネル（３ａ）が装着されている。さらに、本体正面の略上端部には、所定のカラオケ演奏装置に楽曲ＩＤコードなどを予約登録するために使用する発光ダイオードからなる赤外線転送部（図示省略）が設けられている。また、本体背面の下端部には、本体の二次電池に電力供給をするための充電器とカラオケ演奏装置とのデータ送受信の際、データの同期を取るための処理器を兼用した充電ステーション（通称「クレードル」）に装着接続させたり、ＲＳ２３２Ｃ規格のデータ通信を行うための接続端子（図示省略）が設けられている。
【００２６】
次に、図５および図６は、図４のリモコン装置のＬＣＤによる紹介アイテムの一覧表示画面であり、利用者はそのタッチセンサ方式の操作パネルのＧＵＩ環境を利用し、このＧＵＩによる対話を通じ、紹介アイテムの一覧表示およびその購入システム起動のトリガーとなる通信販売モードのアイコン（図示省略）を指定することで、利用者が所望する通信販売アイテムを購入できるように構成してある。先ず、利用者はこの操作により、図５の（イ）に示すように、通信販売モードの表示画面が表示される。この表示画面には、紹介アイテム記録部に記録された通信販売アイテムの一覧（ｄ１）が表示される。この通信販売アイテムの一覧表示（ｄ１）には、紹介アイテムの商品番号、商品名、通販価格、購入指定フラグといった各種の項目欄が設定されている。なお、これらは実施例２の構成に基づくものであり、実施例１では購入システム起動のトリガーは自動設定されており、紹介情報の表示に続けて購入システムが自動的に起動し、一覧表示の代わりに単数の紹介アイテムが表示され、以後の処理は下記と同様に行われる。
【００２７】
利用者は、この表示画面を見ながら、購入を希望する通信販売アイテムを指定する。この指定もＧＵＩ環境を利用して、購入指定フラグ欄をタッチすることで、図５の（ロ）に示すように、購入希望アイテムのフラグ（ｄ２）を立てて希望の通信販売アイテムを指定することができる。なお、本実施例では、再度のタッチにより購入指定が解除されるように設計されている。このように発注対象となる通信販売アイテムを指定して「購入指定」アイコン（ｄ３）をタッチすると、図６の（ハ）に示すように、利用者のＩＤ情報の入力画面が表示される。この表示画面には、購入を希望する利用者の氏名、住所、電話番号などのＩＤ情報記入欄（ｄ４）が設けられ、これもＧＵＩ環境を利用した文字／数字入力手段（図示省略）にて入力が行われる。利用者は所定の入力を終えると、「確認」アイコン（ｄ５）をタッチすることで、次に、図６の（ニ）に示すように、購入確認画面が表示される。なお、本実施例では、この表示画面には、「確認」アイコン（ｄ５）に並列して、購入指定をキャンセルするための「取り消し」アイコン（ｄ６）も設けられている。
【００２８】
この購入確認画面には、購入者の氏名（ｄ７）、購入指定アイテムの内容表示（ｄ８）、購入者が支払う合計金額（ｄ９）などが表示される。また、この表示画面には、利用者が最終的に購入指定を確認したことを示す「購入確認」アイコン（ｄ１０）が設けられ、利用者はこのアイコン（ｄ１０）をタッチすることで正式な発注をしたことになる。なお、本実施例では、この表示画面にも、「購入確認」アイコン（ｄ１０）に並列して、購入指定をキャンセルするための「取り消し」アイコン（ｄ１１）が設けられている。
【００２９】
以下、本発明のさらに別の実施例である、図７に示すカラオケホスト装置を含めた本発明のカラオケシステムのネットワーク構成図と、図８に示す当該カラオケホスト装置のブロック構成図に基づき、本発明の請求項３記載の（ケ）の構成について、上記実施例２に対応させて詳述する。
【実施例３】
【００３０】
先ず、図７に示すように、本実施例のカラオケシステム（１）は、複数の上記カラオケ演奏装置（Ｐ，Ｐ…）と、これら演奏装置（Ｐ，Ｐ…）にネットワーク通信回線（Ｎ）を介して接続されたカラオケホスト装置（Ｈ）を主体としている。そして、図７に示すように、本実施例のカラオケホスト装置（Ｈ）は、ホスト装置全体の機能を統括的に制御するための中央制御手段（３２）、各種データを記憶するためのハードディスク（３３）、上記カラオケ演奏装置（Ｐ）との各種データの送受信を行うための通信インタフェイス（３１）などから主に構成されている。
【００３１】
所定のカラオケ演奏装置（Ｐ）にて所定の紹介情報が表示された場合、その紹介された通信販売アイテムのデータは当該カラオケ演奏装置を特定する演奏装置ＩＤが紐付けされ電送されてくる。通信インタフェイス（３１）にて、この電送データが受け取られると、ハードディスク（３３）に設けられた紹介アイテム記録部（３５）に、当該演奏装置ＩＤ（３５ａ）が紐付けされ、紹介された通信販売アイテム（３５ｂ）が記録される。なお、本実施例のように、カラオケホスト装置（Ｈ）に紹介アイテム記録部（３５）が設けられている場合、必ずしもカラオケ演奏装置内に紹介アイテム記録部を設ける必要はない。
【００３２】
また、このハードディスク（３３）には購入指定アイテム登録部（３６）が設けられており、各購入指定アイテム（３６ｂ）を利用者のＩＤ情報（３６ａ）毎に紐付けして登録している。このため、ネットワーク接続された何れのカラオケ演奏装置（Ｐ）にて紹介された通信販売アイテムでもカラオケホスト装置（Ｈ）にて一元管理され、利用者はネットワーク接続された如何なるカラオケ演奏装置（Ｐ，Ｐ…）からでも、自らが購入した通信販売アイテムの情報を見ることができる。なお、このハードディスク（３３）にはネットワーク接続された各カラオケ演奏装置（Ｐ）に電送するための通信販売アイテム紹介情報（３４）も記録されている。
【００３３】
次に、図９に示す、本発明のカラオケシステムのシステムフロー図に基づき、本発明のシステム全体の動作フローについて詳述する。
【００３４】
先ず、本システムは、システムのログオン（Ｓ１）から始まる。そして、そのログオン中に、利用者は通信販売用冊子やリモコン装置が付帯する電子冊子を見て、興味がある通信販販売アイテムがあると、これに関する紹介情報を表示する旨の指示（Ｓ２）を出す。すると、当該利用者が指定した通信販売アイテムの紹介情報を抽出し、これを所定のカラオケ楽曲の演奏間に表示する。なお、本実施例では、紹介情報の表示のタイミングは、所定のカラオケ楽曲の演奏直後に行われるが、本発明はこれに限らず、例えば、演奏予約の待ち行列に組み込み、その順番が来た段階で表示するようにしても構わない。こうして、通信販売アイテムの紹介情報が表示される（Ｓ３）毎に、その紹介された通信販売アイテムが紹介アイテム記録部に記録される（Ｓ４）。
【００３５】
所望のタイミングで任意の利用者が、その紹介アイテム記録部に記録された通信販売アイテムを一覧表示する旨の指示を出した場合（Ｓ５）には、その一覧が表示される（Ｓ６）が、勿論、指示がない場合（Ｓ５）には、順次紹介アイテムは記録されて行く。なお、利用者別の紹介アイテムの一覧表示は、カラオケ演奏装置のディスプレイ装置に表示しても構わないが、上記実施例のように、カラオケ演奏装置が付帯するリモコン装置のＬＣＤに表示させるようにすれば、背景映像や歌詞テロップ表示を伴うカラオケ演奏を阻害しないため都合がよい。次に、この一覧表示により利用者が購入を希望する通信販売アイテムの購入指定が確認された場合（Ｓ７）には、購入指定アイテム登録部の登録前に、再度、購入指定アイテムの最終確認の表示を行う（Ｓ９）。そして、通信販売アイテムの購入指定が最終確認された段階（Ｓ１０）で、当該利用者のＩＤ情報が付加された状態で、購入指定アイテム登録部への登録が行われる（Ｓ１１）。なお、購入指定の最終確認がなされなかった場合（Ｓ１０）には、購入指定処理は取り消される。
【００３６】
購入指定アイテム登録部への登録が行われた（Ｓ１１）後は、別システムにて利用者別の購入に伴う課金処理（Ｓ１２）や、通信販売業者あるいは自社流通センタへの通信販売アイテムの発注処理（Ｓ１３）が行われる。そして、システムのログオフ確認について、ログオフが確認されない状態ではシステムは継続され、確認された段階でシステムは終了する（Ｓ８）。なお、本実施例では、紹介アイテム記録部に記録された紹介アイテムは、ログオフ時に全て消去される。
【００３７】
以上、詳述したように、本発明の通信販売アイテム購入機能付きカラオケシステムによれば、利用者の指示により、当該利用者が指定した通信販売アイテムの紹介情報を抽出して、これをカラオケ楽曲の演奏間に表示し、利用者が購入を希望する通信販売アイテムを指定した場合、当該利用者のＩＤ情報を付加して、発注対象となる通信販売アイテムを所定の購入指定アイテム登録部に登録したり、あるいは、その表示毎に、紹介された通信販売アイテムを所定の紹介アイテム記録部に記録し、その記録された通信販売アイテムを、利用者の指示により一覧表示させると共に、この一覧表示の中から利用者が購入を希望する通信販売アイテムを指定した場合、当該利用者のＩＤ情報を付加して、発注対象となる通信販売アイテムを所定の購入指定アイテム登録部に登録することで、効率良く通信販売アイテムの購入処理を行うことができ、さらには、利用者に見せた通信販売アイテムの紹介情報を特定し、当該紹介情報で紹介した通信販売アイテムについて、利用者が後で容易に確認できるものである。
【図面の簡単な説明】
【００３８】
【図１】本発明の一実施例におけるカラオケシステムのブロック構成図。
【図２】本発明の別の実施例におけるカラオケシステムのブロック構成図。
【図３】ディスプレイ装置による通信販売アイテムの紹介情報表示画面。
【図４】カラオケ演奏装置が付帯するリモコン装置の外観図。
【図５】リモコン装置のＬＣＤによる紹介アイテムの一覧表示画面。
【図６】リモコン装置のＬＣＤによる紹介アイテムの一覧表示画面。
【図７】カラオケホスト装置を含めたカラオケシステムのネットワーク構成図。
【図８】カラオケシステムを構成するカラオケホスト装置のブロック構成図。
【図９】本発明のカラオケシステムのシステムフロー図。
【符号の説明】
【００３９】
１    通信販売アイテム購入機能付きカラオケシステム
２    リモコン装置
１０，３２  中央制御手段
１１，３３  ハードディスク
１２  ＲＡＭ
１７  紹介情報表示手段
１８  紹介アイテム記録手段
１９  紹介アイテム一覧表示手段
２０  購入指定アイテム登録手段
２１  通信制御手段
２５，３５  紹介アイテム記録部
２６，３６  購入指定アイテム登録部
２５ｂ，３５ｂ  紹介された通信販売アイテム
２６ｂ，３６ｂ  購入指定アイテム
２８ｂ，３４  通信販売アイテム紹介情報
Ｈ    カラオケホスト装置
Ｐ    カラオケ演奏装置
Ｎ    ネットワーク通信回線
【図１】
2005316153.tif 000003
【図２】
2005316153.tif 000004
【図３】
2005316153.tif 000005
【図４】
2005316153.tif 000006
【図５】
2005316153.tif 000007
【図６】
2005316153.tif 000008
【図７】
2005316153.tif 000009
【図８】
2005316153.tif 000010
【図９】
2005316153.tif 000011